(57)【要約】【課題】処理トレイ上にスタックされた用紙束の整合性を更に向上させて、より確実に用紙束を整揃させた状態で、所定の後処理を行うことができる用紙後処理装置を提供する。【解決手段】所定枚数の用紙が処理トレイ３０上にスタックされると、用紙束搬送手段５０により用紙束を端綴じ用ステープラ２０まで下降させ、束後端整合手段７０による用紙束の後端整合動作、及び、幅方向整合手段６０による用紙束の幅方向端整合動作を複数回繰り返し行った後、ステープル部２０ａで用紙束の端綴じ処理を行う。【選択図】図２
2008030932.tif 000002
【特許請求の範囲】
【請求項１】
複数枚の用紙が収納可能な処理トレイと、該処理トレイに受け入れられた用紙を整合する用紙束整合手段と、前記処理トレイ上に受け入れられる用紙の前端を支持し、後処理後の用紙束を搬送する用紙束搬送手段と、前記処理トレイ上に積載された用紙束に所定の後処理を施す後処理ユニットと、を備えた用紙後処理装置において、
前記処理トレイに所定枚数の用紙を受け入れた後、前記後処理ユニットにより用紙束に後処理を施す前に、前記用紙束整合手段による用紙束整合動作を複数回行うことを特徴とする用紙後処理装置。
【請求項２】
前記用紙束整合手段は、用紙束の搬送方向に直交する用紙束の幅方向端を整合する幅方向整合手段であることを特徴とする請求項１に記載の用紙後処理装置。
【請求項３】
前記用紙束整合手段は、用紙束の搬送方向の前端又は後端を整合する搬送方向整合手段であることを特徴とする請求項１又は請求項２に記載の用紙後処理装置。
【請求項４】
前記処理トレイは、垂直又は傾斜するように設けられ、前記処理トレイの上方から用紙を受け入れるよう構成されており、前記搬送方向整合手段が前記用紙束搬送手段であることを特徴とする請求項３に記載の用紙後処理装置。
【請求項５】
前記処理トレイ上に用紙が１枚受け入れられる毎に、用紙束整合動作を行うことを特徴とする請求項１乃至請求項４のいずれかに記載の用紙後処理装置。
【発明の詳細な説明】
【技術分野】
【０００１】
本発明は、複写機、ファクシミリ装置、プリンタ等の画像形成装置から供給された用紙等に、ステープル処理等の所定の後処理を行う用紙後処理装置に関するものである。
【背景技術】
【０００２】
従来、複写機、プリンタ等の画像形成装置により画像が転写された用紙を複数枚スタックして、スタックされた用紙束をまとめてステープルで綴じるステープル処理、パンチで穴を空けるパンチ処理及び２つ折り（中折り）処理等を実行可能な用紙後処理装置が知られており、比較的多量の用紙についてステープル処理等の後処理等を行う際には、上記のような用紙後処理装置が利用されている。
【０００３】
図４は、従来の用紙後処理装置の一構成例を示す側面断面図である。図４において、用紙後処理装置１００は複写機等の画像形成装置（図示せず）の用紙排出側に例えば着脱自在に連結され、複数枚の用紙を収納可能な処理トレイ１０１を備えている。画像形成装置から順次排出された用紙についてステープル処理等を行う場合、各用紙は処理トレイ１０１に一旦収納される。
【０００４】
処理トレイ１０１の右上部には搬入ローラ対１０２が設けられており、画像形成装置から排出された用紙は搬入ローラ対１０２を介して用紙後処理装置１００内に搬送され、搬入口１０３より処理トレイ１０１上へ搬入される。また、処理トレイ１０１には、処理トレイ１０１に沿って移動可能な束先端揃えフック１０７が設けられている。束先端揃えフック１０７は、用紙の搬入時には処理トレイ１０１の下端に待機しており、搬入ローラ対１０２から処理トレイ１０１上に順次搬入された用紙の搬送方向の一端が束先端揃えフック１０７で支持される。
【０００５】
束先端揃えフック１０７の待機位置近傍には、端綴じ用ステープラ１０４が設けられている。端綴じ用ステープラ１０４は、束先端揃えフック１０７によって搬送方向端部が整合された一組の用紙についてステープル処理を行う。ステープル処理が終了した用紙は、束先端揃えフック１０７により処理トレイ１０１に沿って用紙後処理装置１００上部へ搬送され、束排出ローラ１０５を介して排出トレイ１０６に排出される。
【０００６】
このような用紙後処理装置においては、処理トレイ１０１に搬入される用紙は、その自重によって先端が束先端揃えフック１０７に当接する位置まで落下し、処理トレイ１０１上にスタックされることとなるが、先にスタックされている用紙との摩擦等によって先端が束先端揃えフック１０７に当接する位置まで確実に搬送されないことがあり、かかる場合、用紙束の先端が不揃いのままステープル処理を行ってしまうことがあった。
【０００７】
そこで、上記のような不具合を防止するため種々の技術が提案されており、例えば、特許文献１には、用紙をスタックし、ステープル可能なものであって、用紙の先端を受け止めるための突起部を有する無端状ベルトと、これとは別に、主として用紙の整合に用いられる突起部を設けた無端状ベルトを有する用紙後処理装置が開示されており、これによれば、用紙整合用の突起部を設けたベルトを、用紙がスタックされるごとに回転させて用紙の後端を押圧することによって、用紙束を確実に整合することができる。
【特許文献１】特開２００２−１５４７３９号公報
【発明の開示】
【発明が解決しようとする課題】
【０００８】
しかしながら、特許文献１に記載の用紙後処理装置では、処理トレイ上に用紙がスタックされる毎に用紙整合用の突起部によって用紙を整合させているが、スタックされる用紙同士の摩擦によって生じる静電気等の影響により、用紙束の整合性が不十分な場合があり、用紙束が不揃いの状態のままでステープル処理を行ってしまうことがあった。
【０００９】
本発明は、上記問題点に鑑み、処理トレイ上にスタックされた用紙束の整合性を更に向上させて、より確実に用紙束を整合させた状態で、所定の後処理を行うことができる用紙後処理装置を提供することを目的とする。
【課題を解決するための手段】
【００１０】
上記目的を達成するために本発明は、複数枚の用紙が収納可能な処理トレイと、該処理トレイに受け入れられた用紙を整合する用紙束整合手段と、前記処理トレイ上に受け入れられる用紙の前端を支持し、後処理後の用紙束を搬送する用紙束搬送手段と、前記処理トレイ上に積載された用紙束に所定の後処理を施す後処理ユニットと、を備えた用紙後処理装置において、前記処理トレイに所定枚数の用紙を受け入れた後、前記後処理ユニットにより用紙束に後処理を施す前に、前記用紙束整合手段による用紙束整合動作を複数回行うことを特徴としている。
【００１１】
また本発明は、上記構成の用紙後処理装置において、前記用紙束整合手段は、用紙束の搬送方向に直交する用紙束の幅方向端を整合する幅方向整合手段であることを特徴としている。
【００１２】
また本発明は、上記構成の用紙後処理装置において、前記用紙束整合手段は、用紙束の搬送方向の前端又は後端を整合する搬送方向整合手段であることを特徴としている。
【００１３】
また本発明は、上記構成の用紙後処理装置において、前記処理トレイは、垂直又は傾斜するように設けられ、前記処理トレイの上方から用紙を受け入れるよう構成されており、前記搬送方向整合手段が前記用紙束搬送手段であることを特徴としている。
【００１４】
また本発明は、上記構成の用紙後処理装置において、前記処理トレイ上に用紙が１枚受け入れられる毎に、用紙束整合動作を行うことを特徴としている。
【発明の効果】
【００１５】
本発明の第１の構成によれば、処理トレイ上にスタックされる用紙同士の摩擦によって生じる静電気等の影響により、１回の用紙束整合動作では用紙の整合が不十分な場合でも、用紙束整合動作を複数回行うことにより確実に用紙束を整合させることができるため、用紙束を整合させた状態で後処理を行うことができる。
【００１６】
また、本発明の第２の構成によれば、上記第１の構成の用紙後処理装置において、確実に用紙束の幅方向端を整合させることができるため、用紙束の幅方向端を整合させた状態で後処理を行うことができる。
【００１７】
また、本発明の第３の構成によれば、上記第１又は第２の構成の用紙後処置装置において、確実に用紙束の搬送方向の端部を整合させることができるため、用紙束の搬送方向の端部を整合させた状態で後処理を行うことができる。
【００１８】
また、本発明の第４の構成によれば、上記第３の構成の用紙後処理装置において、用紙束搬送手段によって、処理トレイ上に受け入れられる用紙束を整合することにより、処理トレイ上に受け入れられた用紙の自重によって用紙束の下端を整合することができるので、用紙束の上端が不揃いであってもよく、幅方向の寸法が同一であるが搬送方向の寸法が異なるような用紙を混載した場合でも、用紙束を整合させて後処理を行うことができる。
【００１９】
また、本発明の第５の構成によれば、上記第１乃至第４のいずれかの構成の用紙後処理装置において、前記処理トレイ上に用紙が１枚受け入れられる毎に、用紙束整合動作を行うことにより、所定枚数の用紙を受け入れた後、後処理動作前にのみ用紙束整合動作を行う場合よりも、より整合性よく用紙束をスタックすることができる。
【発明を実施するための最良の形態】
【００２０】
以下、図面を参照して本発明の実施形態を説明する。先ず、図１を参照して本発明に係る用紙後処理装置１の構成について説明する。図１は本発明の用紙後処理装置の構成を示す側面断面図である。
【００２１】
図１に示すように、用紙後処理装置１は、用紙にパンチ穴を形成するパンチユニットＰと、処理トレイ３０上に積載された用紙束の端部を揃えてステープル処理を行う端綴じユニットＳと、用紙束の中央をステープル処理した後、ステープル部を中心に折り曲げて冊子状にする中綴じ・中折りユニットＣとを備えている。
【００２２】
パンチユニットＰは、パンチ穴形成装置１０が備えられおり用紙後処理装置１の上部に配置されている。また、パンチユニットＰ内には、搬入ローラ対２よってパンチユニットＰ内に搬入された用紙を第１排出トレイ１７へと搬送する第１排出経路Ｒ１と、パンチ穴形成装置１０の下方を通るように搬送する用紙搬送経路Ｒ２とが設けられており、更に、用紙搬送経路Ｒ２の下流端に連続して用紙を第２排出トレイ１８へと搬送する第２排出経路Ｒ３と、用紙搬送経路Ｒ２の下流端に連続して用紙を端綴じユニットＳへと搬送する端綴じユニット用搬送経路Ｒ４が設けられている。
【００２３】
また、第１排出経路Ｒ１と用紙搬送経路Ｒ２との分岐部、及び第２排出経路Ｒ３と端綴じ用搬送経路Ｒ４との分岐部には、経路切替手段１１，１２がそれぞれ配設されている。そして、用紙搬送経路Ｒ２に沿ってパンチ穴形成装置１０の上流側及び下流側にはそれぞれ搬送ローラ対１３，１４が配設されており、第１排出経路Ｒ１の下流端部には第１排出ローラ対１５が、第２排出経路Ｒ３の下流端部には第２排出ローラ対１６が配設され、それぞれの下流には、第１排出トレイ１７、第２排出トレイ１８が設けられている。
【００２４】
そして、パンチユニットＰの下方には、端綴じ用ステープラ２０、処理トレイ３０等から構成される端綴じユニットＳが配置されている。この端綴じユニットＳには、前述した端綴じ用搬送経路Ｒ４の下流端に連続するように、処理トレイ３０に用紙を搬入する用紙搬入口２１と、中綴じ・中折りユニットＣに用紙を搬送する中綴じ・中折り用搬送路Ｒ５とが分岐するようにして設けられており、これらの分岐部には経路切替手段２２が配設されている。
【００２５】
処理トレイ３０には、後述する用紙束搬送手段５０、幅方向整合手段６０及び束後端整合手段７０が備えられており、処理トレイ３０上には、処理トレイ３０上に受け入れられた用紙をトレイ面に沿って押さえる押さえローラ２３，２４が配設されている。また、処理トレイ３０の上端部近傍には束排出ローラ２５が配設されており、束排出ローラ２５の下流には用紙束トレイ２６が設けられている。
【００２６】
更に、端綴じユニットＳの下方には中綴じ・中折りユニットＣが配置されている。中綴じ・中折りユニットＣは、用紙ガイド４０、中綴じ用ステープラ４１及び中折り装置４２等から構成されており、用紙ガイド４０には、用紙ガイド４０に沿って移動して用紙後端の浮き上がりを防止するＴ字部材４３と、用紙ガイド４０に搬入された用紙の後端をガイド面に沿って押さえる押さえローラ４４とが設けられている。また、中折り装置４２の下流には冊子排出口４５が設けられ、その下方には冊子トレイ４６が設けられている。
【００２７】
続いて、本発明に係る用紙後処理装置１の動作について説明する。画像形成処理がされた用紙について、パンチ穴形成処理及びステープル処理のいずれも行わない場合は、図示しない画像形成装置の制御部からの信号により、経路切替手段１１が用紙搬送経路Ｒ２を塞ぎ、搬入ローラ対２よりパンチユニットＰ内に搬入された用紙は第１排出経路Ｒ１へと搬送され、第１排出ローラ対１５により装置外部に排出され、装置上面に設けられた第１排出トレイ１７上に積載される。
【００２８】
パンチ穴形成処理又はステープル処理を行う場合は、経路切替手段１１が第１排出経路Ｒ１を塞ぎ、用紙は搬送ローラ対１３により用紙搬送経路Ｒ２をパンチ穴形成装置１０へと搬送される。そして、パンチ穴形成が指示されている場合は用紙の所定位置にパンチ穴が形成され、パンチ穴形成が指示されていない場合はそのままパンチ穴形成装置１０を通過し、搬送ローラ対１４により用紙搬送経路Ｒ２の下流端へと搬送される。
【００２９】
ここで、パンチ穴形成のみ指示されておりステープル処理が指示されていない場合は、経路切替手段１２が端綴じユニット用搬送経路Ｒ４を塞ぎ、用紙は第２排出経路Ｒ３に搬送され、第２排出ローラ対１６により装置外部に排出されて第２排出トレイ１８上に積載される。一方、ステープル処理が指示されている場合は経路切替手段１２が第２排出経路Ｒ３を塞ぎ、用紙は端綴じユニット用搬送経路Ｒ４へ搬送され、端綴じユニットＳ或いは中綴じ・中折りユニットＣに搬送される。
【００３０】
用紙束の端部をステープル処理する場合には、経路切替手段２２が中綴じ・中折り用搬送路Ｒ５を塞ぎ、用紙は用紙搬入口２１より処理トレイ３０上に搬入される。そして、所定枚数の用紙が処理トレイ３０に受け入れられると、用紙束搬送手段５０（図３参照）は用紙束を端綴じ用ステープラ２０まで下降させ、整合された用紙束の先端をステープル部２０ａに挿入する。ステープル部２０ａで用紙束の端綴じ処理を行った後、用紙束搬送手段５０は処理トレイ３０に沿って用紙束を上方へと搬送し、用紙束は束排出ローラ２５により用紙束トレイ２６上に排出される。
【００３１】
用紙束を中綴じ、中折り処理して冊子状にする場合は、用紙は経路切替手段２２によって中綴じ・中折り用搬送路Ｒ５へと案内され、中綴じ・中折りユニットＣに搬送される。搬送された用紙は、用紙の中央が中綴じ用ステープラ４１のステープル部４１ａに位置するように、画像面を下向きにして用紙ガイド４０内に所定枚数積載された後、中綴じ処理される。
【００３２】
中綴じ処理された用紙束は、中綴じ用ステープラ４１の下流側に配置された中折り装置４２に搬送される。中折り装置４２は、用紙ガイド４０を挟んで対峙する突き上げ板４２ａと加圧ローラ対４２ｂとを備えており、用紙束中央の中綴じ部分を突き上げ板４２ａで突き上げて山形に折り曲げ、さらに折り曲げ部分から加圧ローラ対４２ｂを通過させることにより中折り処理を行う。そして、中折り装置４２を通過した冊子状の用紙束は、冊子排出口４５より冊子トレイ４６へと排出される。
【００３３】
なお、上記の実施形態においては、パンチ穴形成処理及びステープル処理のいずれの後
処理も行っていない用紙は第１排出トレイ１７上に排出し、パンチ穴形成処理のみを行った用紙は第２排出トレイ１８上に排出し、パンチ穴形成処理及びステープル処理の両方を行った用紙束、並びにステープル処理のみを行った用紙束を用紙束トレイ２６上に排出する構成としたが、これは、例えば、ユーザの操作によって、パンチ穴形成処理を行っていない用紙を第２排出トレイ１８上に排出したり、ステープル処理を行っていない用紙を用紙束トレイ２６上に排出したりすることができるよう構成することも可能である。
【００３４】
次に、図２及び図３を参照して、端綴じユニットＳに備えられた処理トレイ３０について詳述する。図２は、本発明に係る用紙後処理装置に配設された処理トレイの斜視図であり、図３は、図２に示す処理トレイに備えられた駆動系を示す斜視図である。
【００３５】
図２に示すように、処理トレイ３０は、幅方向両端に設けられた側板３１ａ，３１ｂと、これらの側板３１ａ，３１ｂの間に設けられ、両側板３１を連結する連結板３２から構成されており、両側板３１の上端部近傍には後述する第１ベルト５２及び第２ベルト７２が掛け回される支持軸３３が、用紙束の搬送方向と直交するように側板３１ａ，３１ｂに軸架されている。
【００３６】
また、両側板３１の間には幅方向略中央部に、処理トレイ３０に積載される用紙を支持する支持板３４ａ，３４ｂが設けられている。なお、これらの支持板３４ａ，３４ｂは垂直に又は傾斜するように設けられており、積載された用紙が自重によって支持板３４ａ，３４ｂに沿って滑り落ち、後述する用紙束搬送部材５３に当接して用紙の先端が揃った状態で処理トレイ３０上に積載されるよう構成されている。
【００３７】
また更に、処理トレイ３０には、処理トレイ３０上に積載された用紙束を搬送する用紙束搬送手段５０、積載された用紙を幅方向に整合する幅方向整合手段６０、及び積載された用紙の後端を整合する束後端整合手段７０が設けられている。
【００３８】
図３に示すように、用紙束搬送手段５０は、用紙束の搬送方向に直交するように側板３１ａに回転自在に軸支された回転軸５１と、この回転軸５１と支持軸３３とに掛け回された無端状の第１ベルト５２と、第１ベルト５２に取り付けられた用紙束搬送部材５３と、回転軸５１に駆動接続された駆動モータ５４とから構成されている。なお、第１ベルト５２は、支持板３４（図２参照）に合わせて垂直又は傾斜するように設けられており、駆動モータ５４を正逆に回転させることによって、用紙束搬送部材５３が支持板３４に沿って、上下に移動するようになっている。
【００３９】
幅方向整合手段６０は、支持板３４の左右に配設された断面Ｌ字状のサイドカーソル６１ａ，６１ｂと、両側板３１ａ，３１ｂの間に用紙束の搬送方向と直交するように軸架された、サイドカーソル６１ａ，６１ｂをガイドするガイドシャフト６２と、サイドカーソル６１ａ，６１ｂを用紙束の幅方向に移動させるための駆動モータ６３ａ，６３ｂと、これらの駆動モータ６３ａ，６３ｂからの駆動力をサイドカーソル６１ａ，６１ｂに伝達するラック６４ａ，６４ｂから構成されている。
【００４０】
束後端整合手段７０は、用紙束の搬送方向に直交するように側板３１ａ，３１ｂに回転自在に軸支された回転軸７１と、この回転軸７１と支持軸３３とに掛け回された無端状の第２ベルト７２と、第２ベルト７２に取り付けられた、第２ベルト７２上に直立する脚部７３ａと、脚部７３ａの先端にその長手方向の略中央部が結合された頭部７３ｂとから成る後端整合部材７３と、回転軸７１に駆動接続された駆動モータ７４とから構成されている。
【００４１】
なお、第２ベルト７２は、第１ベルト５２と同様に支持板３４（図２参照）に合わせて垂直又は傾斜するように設けられており、駆動モータ７４を正逆に回転させることによって、後端整合部材７３が支持板３４に沿って、上下に移動するようになっており、後端整合部材７３の脚部７３ａによって用紙の後端を押圧して用紙束を整合するようになっている。また、用紙の後端を押圧する際や後処理後の用紙束を排出する際に、頭部７３ｂによって用紙の後端の浮き上がりが防止されるようになっている。
【００４２】
上記のように構成された処理トレイ３０に、用紙を受け入れる手順について図１〜図３を参照して説明する。先ず、用紙搬入口２１から処理トレイ３０へと用紙が搬入されると、所定のタイミングに、押さえローラ２３，２４が駆動され、これにより用紙が処理トレイ３０方向に付勢されながら、支持板３４ａ，３４ｂに沿うように処理トレイ３０に受け入れられる。
【００４３】
次いで、受け入れられた用紙の先端が用紙束搬送部材５３によって支持された後、束後端整合手段７０の駆動モータ７４が駆動されて第２ベルト７２が正転および逆転され、これに伴って後端整合部材７３は支持板３４ａ，３４ｂの傾斜方向に沿って上下に移動して、用紙の後端が揃えられる。また、この後端揃えと同時に、幅方向整合手段６０の駆動モータ６３ａ，６３ｂを駆動し、支持板３４ａ，３４ｂの左右に配設されたサイドカーソル６１ａ，６１ｂを用紙サイズ幅方向の位置まで移動する。このサイドカーソル６１ａ，６１ｂの移動により、用紙束の幅方向の両端が揃えられる。
【００４４】
その後、サイドカーソル６１ａ，６１ｂは、用紙の受け入れ幅まで広がるとともに、後端整合部材７３が、処理トレイ３０の支持板３４上に積載された用紙から、離れた待機位置に移動する。このような動作が所定枚数の用紙の受け入れが終了するまで用紙が１枚受け入れられる毎に行われ、これにより、受け入れられた用紙の後端及び幅方向端を整合することができるため、用紙束を整合性よくスタックすることができる。
【００４５】
そして、全ての用紙が受け入れられると、用紙束搬送手段５０は用紙束を端綴じ用ステープラ２０まで下降させ、整合された用紙束の先端をステープル部２０ａに挿入し、ステープル部２０ａで用紙束の端綴じ処理が行われることとなるが、ここで、本発明に係る用紙後処理装置１では、用紙束を端綴じ用ステープラ２０まで下降させた後、端綴じ処理前に、再度、用紙束の後端及び幅方向端の整合を行うことを特徴としている。
【００４６】
すなわち、全ての用紙が処理トレイ３０上に受け入れられた後、端綴じ用ステープラ２０まで下降させた後、端綴じ処理前に、上述した束後端整合手段７０による後端整合動作、及び、幅方向整合手段６０による幅方向端整合動作を複数回、好ましくは５回程度繰り返し行うように構成されている。
【００４７】
これにより、処理トレイ３０上に受け入れられる用紙同士の摩擦によって生じる静電気等の影響により、用紙がスタックされる毎に行われる後端整合動作及び幅方向端整合動作では用紙束の整合が不十分な場合でも、端綴じ処理前に整合動作を複数回行うことにより確実に用紙束を整合させた状態で端綴じ処理を行うことができる。
【００４８】
なお、本実施形態のように用紙が支持される支持板３４が直立又は傾斜するように設けられている場合には、処理トレイ３０上に積載された用紙の搬送方向の整合は、束後端整合手段７０によって用紙束の後端を整合する代わりに、用紙束を端綴じ用ステープラ２０まで下降させる前に、用紙束搬送手段５０の第１ベルト５２を正転および逆転させ、用紙束搬送部材５３を支持板３４ａ，３４ｂの傾斜方向に沿って上下に移動させて、用紙の前端を整合することも可能である。
【００４９】
このように用紙束搬送手段５０によって、処理トレイ３０上に積載される用紙束の前端を整合することにより、後端整合手段７０を用いることなく用紙束の搬送方向の整合を行うことができる。また、処理トレイ３０上に積載された用紙束の前端を整合するので、用紙束の後端が不揃いであってもよく、幅方向の寸法は同一であるが搬送方向の寸法が異なるような用紙を混載した場合でも、確実に用紙束の前端を整合させた状態で端綴じ処理を行うことができる。
【００５０】
その他、本発明は上記実施形態に限られるものではなく、本発明の趣旨を逸脱しない範囲で種々の変更が可能であり、例えば、上記実施形態では、処理トレイ３０上に用紙が１枚スタックされる毎に整合動作を行う構成としているが、これは１枚スタックされる毎に行わず複枚数の用紙がスタックされる毎に行っても良いし、綴じ処理前にのみ整合動作を行うよう構成してもよい。
【００５１】
また、上記実施形態では、処理トレイ３０に積載される用紙を支持する支持板３４ａ，３４ｂを直立又は傾斜するように設けているが、これは水平となるように設けても構わない。ただし、その場合には用紙束搬送手段５０によって用紙束の前端を整合することができず、処理トレイ３０上に搬送方向の長さの異なる用紙が混載されていると用紙束を整合することができないため、支持板３４ａ，３４ｂは直立又は傾斜するように設けておくのが好ましい。
【産業上の利用可能性】
【００５２】
本発明は、複写機、ファクシミリ装置、プリンタ等の画像形成装置から供給された用紙等に、ステープル処理等の所定の後処理を行う用紙後処理装置に利用することができる。
【図面の簡単な説明】
【００５３】
【図１】は、本発明の用紙後処理装置の構成を示す側面断面図である。
【図２】は、本発明に係る用紙後処理装置に配設された処理トレイの斜視図である。
【図３】は、図２に示す処理トレイに備えられた駆動系を示す斜視図である。
【図４】は、従来の用紙後処理装置の一構成例を示す側面断面図である。
【符号の説明】
【００５４】
１        用紙後処理装置
３０      処理トレイ
３１ａ，３１ｂ  側板
３２      連結板
３３      支持軸
３４ａ，３４ｂ  支持板
５０      用紙束搬送手段
５１      回転軸
５２      第１ベルト
５３      用紙束搬送部材（搬送方向整合手段）
５４      駆動モータ
６０      幅方向整合手段
６１ａ，６１ｂ  サイドカーソル
６２      ガイドシャフト
６３ａ，６３ｂ  駆動モータ
６４ａ，６４ｂ  ラック
７０      束後端整合手段（搬送方向整合手段）
７１      回転軸
７２      第２ベルト
７３      後端整合部材
７４      駆動モータ
【図１】
2008030932.tif 000003
【図２】
2008030932.tif 000004
【図３】
2008030932.tif 000005
【図４】
2008030932.tif 000006